(57)【要約】【課題】複数の記録媒体を合算可能であり、且つ遊技者が記録媒体の発行条件を設定可能にする遊技用装置を提供する。【解決手段】貸出機２において、複数の記録媒体を合算した際に、一方の記録媒体に発行条件が設定されていれば、合算後も発行条件の設定が有効になるため、合算した際に発行条件の設定が解除されてしまい記録媒体の盗難リスクが高くなることを抑制できる。つまり、本構成であれば、盗難を抑制する効果を担保しつつ、複数の記録媒体を合算可能であり、かつ遊技者が記録媒体の発行条件を設定可能にすることができる。【選択図】図１１
2019130041.tif 000002
【特許請求の範囲】
【請求項１】
遊技者が所有する遊技価値の大きさを特定可能な情報を記録した記録媒体を受け付ける受付手段と、
遊技者の設定操作に応じて、前記記録媒体に対して発行条件を設定する発行条件設定手段と、
遊技者の発行操作に応じて前記受付手段が受け付けている前記記録媒体を発行するものであり、前記発行条件が設定されている場合、当該発行条件が成立したことを条件に前記記録媒体を発行する発行手段と、
前記受付手段が記録媒体を受け付けている状態で、次の記録媒体を前記受付手段が受け付けた場合に、各記録媒体に記録している遊技価値の大きさを合算して一方の記録媒体である合算先記録媒体に記録すると共に、他方の記録媒体である合算元記録媒体を回収する記録媒体処理手段と、
前記合算元記録媒体、及び前記合算先記録媒体のうち、一方の記録媒体に対して前記発行条件が設定されていた場合、当該発行条件を前記合算先記録媒体にて有効化する有効化手段と、を備えたことを特徴とする遊技用装置。
【請求項２】
前記記録媒体には、会員として登録された遊技者が所持し、当該登録の際に使用条件を設定した会員記録媒体と、会員として登録していない遊技者が所持する一般記録媒体とがあり、
前記受付手段が前記会員記録媒体を受け付けた際、前記使用条件が成立した場合に当該会員記録媒体の使用を許可する一方、前記使用条件が成立するまで前記会員記録媒体の使用を制限する許可手段を備え、
前記発行条件設定手段は、前記会員記録媒体、及び前記一般記録媒体のそれぞれに対して前記発行条件を設定することが可能であり、
前記記録媒体処理手段は、前記会員記録媒体と前記一般記録媒体とに記録している遊技価値の大きさを合算する場合、前記会員記録媒体を前記合算先記録媒体にするものであり、
前記有効化手段は、前記会員記録媒体及び前記一般記録録媒体のうち、前記一般記録媒体に対して前記発行条件が設定されていた場合、当該発行条件を前記会員記録媒体にて有効にすることを特徴とする請求項１に記載した遊技用装置。
【請求項３】
前記記録媒体には、会員として登録された遊技者が所持し、当該登録の際に使用条件を設定した会員記録媒体と、会員として登録していない遊技者が所持する一般記録媒体とがあり、
前記受付手段が前記会員記録媒体を受け付けた際、前記使用条件が成立した場合に当該会員記録媒体の使用を許可する一方、前記使用条件が成立するまで前記会員記録媒体の使用を制限する許可手段を備え、
前記記録媒体処理手段は、前記受付手段が前記一般記録媒体を受け付けている状態で、新たな前記一般記録媒体を受け付けた場合に、当該新たな一般記録媒体を前記合算先記録媒体にすることを特徴とする請求項１に記載した遊技用装置。
【請求項４】
前記有効化手段は、前記合算元記録媒体、及び前記合算先記録媒体のうち、両方の記録媒体に対して前記発行条件が設定されていた場合、前記記録媒体処理手段による合算の後、前記合算先記録媒体に対して設定されていた前記発行条件を有効化することを特徴とする請求項１から３の何れか一項に記載した遊技用装置。
【請求項５】
遊技者が所有する遊技価値の大きさを記録した記録媒体を受け付ける受付手段と、
遊技者の設定操作に応じて、前記記録媒体に対して発行条件を設定する発行条件設定手段と、
遊技者の発行操作に応じて前記受付手段が受け付けている前記記録媒体を発行するものであり、前記発行条件が設定されている場合、当該発行条件が成立したことを条件に前記記録媒体を発行する発行手段と、
前記受付手段が記録媒体を受け付けている状態で、次の記録媒体を前記受付手段が受け付けた場合に、各記録媒体に記録している遊技価値の大きさを合算して一方の記録媒体である合算先記録媒体に記録すると共に、他方の記録媒体である合算元記録媒体を回収する記録媒体処理手段と、
前記合算元記録媒体、及び前記合算先記録媒体のうち、両方の記録媒体に対して前記発行条件が設定されていた場合、前記記録媒体処理手段による合算の後、前記合算先記録媒体に対して設定されていた前記発行条件を有効化する有効化手段と、を備えたことを特徴とする遊技用装置。
【発明の詳細な説明】
【技術分野】
【０００１】
本発明は遊技用装置に関する。
【背景技術】
【０００２】
遊技場では、遊技者が獲得した玉やメダルの数の情報を記録したＩＣカード（記録媒体）を遊技者に配布している。そして、ＩＣカードを遊技機に隣接して設けられた貸出機に挿入することで、ＩＣカードに記録した玉やメダルの数を対価として遊技を可能にしている。ＩＣカードに玉やメダルの数の情報を記録することで、遊技者が玉やメダルを持ち運ぶ手間を減らすことができる。また、特許文献１には、複数のＩＣカードに記録した情報を１枚のＩＣカードに合算して記録することが記載されている。
【先行技術文献】
【特許文献】
【０００３】
【特許文献１】特開２０１４−４６０８１号公報
【発明の概要】
【発明が解決しようとする課題】
【０００４】
ところで遊技場によっては、遊技者が貸出機を操作することで、ＩＣカードを発行するための暗証番号を予め設定（発行条件を設定）できるようになっている。これにより、ＩＣカードの盗難を抑制することができる。しかしながら、暗証番号を設定した後に複数のカードを合算することが想定されていない。このため、遊技者が暗証番号を設定し、かつ複数のＩＣカードを合算可能なシステムが実現できていないのが実情である。
【０００５】
本発明は、上記した事情に鑑みてなされたものであり、その目的は、複数の記録媒体を合算可能であり、且つ遊技者が記録媒体の発行条件を設定可能にする遊技用装置を提供することにある。
【課題を解決するための手段】
【０００６】
遊技用装置において、複数の記録媒体を合算した際に、一方の記録媒体に発行条件が設定されていれば、合算後も発行条件の設定が有効になるため、合算した際に発行条件の設定が解除されてしまい記録媒体の盗難リスクが高くなることを抑制できる。つまり、本構成であれば、盗難を抑制する効果を担保しつつ、複数の記録媒体を合算可能であり、かつ遊技者が記録媒体の発行条件を設定可能にすることができる。
【図面の簡単な説明】
【０００７】
【図１】本発明の一実施形態を示す全体構成図
【図２】遊技場用システムにおける概略的な機能ブロック図
【図３】一般カードを挿入した場合におけるロック設定開始時の画面遷移図
【図４】暗証番号又は携帯端末を用いたロック設定の際の画面遷移図
【図５】会員カードを挿入した場合におけるロック設定開始時の画面遷移図
【図６】暗証番号又は携帯端末を用いたロック設定の際の画面遷移図
【図７】暗証番号のみを用いたロック設定の際の画面遷移図
【図８】ロック設定状態とロック未設定状態を表す説明図
【図９】ロック設定状態での認証操作によるカード返却時の画面遷移図
【図１０】ロック設定状態の解除操作における画面遷移図
【図１１】一般カード挿入中に会員カードを挿入して合算を行う場合の画面遷移図
【図１２】精算機における会員カード精算時の画面遷移図
【発明を実施するための形態】
【０００８】
以下、本発明の一実施形態について図面を参照して説明する。図１は、遊技場用システムの全体構成を概略的に示している。遊技場内には多数の遊技機１が設置されており、各遊技機１に対応して貸出機２及び遊技情報表示装置３が設置されている。これら遊技機１、貸出機２及び遊技情報表示装置３は２台ずつ中継装置４と接続されており、中継装置４はＬＡＮ５を介して管理装置６と接続されている。
【０００９】
また、遊技場にはＰＯＳ７や精算機８も設置されており、これらＰＯＳ７や精算機８もＬＡＮ５を介して管理装置６と接続されている。本実施形態において、図１に示すように遊技機１に隣接して設けられた貸出機２は第１遊技用装置とされ、遊技機１と離間して設けられた精算機８は第２遊技用装置とされている。尚、図１では図示を省略したが、実際には例えば数百台の遊技機１が管理装置６の管理対象となっている。また、上記した遊技機１がパチンコ遊技機の場合、その遊技価値はパチンコ玉（遊技媒体としての玉）であり、遊技機がスロットマシンの場合、遊技価値はメダルである。
【００１０】
管理装置６は、遊技場内の例えば事務室等に設置されており、遊技場の管理者が操作するキーボード６ｋ、モニタ６ｍ、プリンタ（図示せず）等が接続されている。管理装置６は、遊技機側（遊技機１、貸出機２等）から出力される遊技信号を入力することで、遊技機１毎の遊技データ、会員登録された会員毎の個人データ、遊技機１や貸出機２等の稼動状態等を管理する。
【００１１】
遊技機１は、ＣＲパチンコ遊技機であり、盤面１１に玉を発射する発射装置を構成する操作ハンドル１２、上部受皿１３、下部受皿１４を有すると共に、盤面１１に、液晶表示部１５、普図入賞口１６、第１始動口１７、第２始動口１８、大入賞口１９を有する。上部受皿１３には、貸出ボタン１３ａ及び返却ボタン１３ｂ（何れも図２にのみ図示）が設けられている。
【００１２】
遊技機１は以下に示すように動作する。
（１）第１始動口１７は入賞率が変動しない入賞口（所謂ヘソ入賞口）であり、第２始動口１８は入賞率が変動する入賞口（所謂電チュー）である。各始動口１７、１８への入賞（始動入賞）に応じて大当たり抽選を行い、抽選結果を液晶表示部１５にて行う図柄変動にて報知し、その変動結果に応じて大当たりとなる。
【００１３】
（２）図柄変動中に始動入賞した場合には所定の保留上限値（例えば各４つ）まで図柄変動を累積的に保留し、図柄変動終了後に保留している図柄変動を開始する。尚、保留している図柄変動数（保留数）が上限値である状態で始動入賞した場合、図柄変動は保留されない。
【００１４】
（３）大当たり抽選の当選確率（大当たり確率）は１／３６０であり、大当たりがその後確変状態（確変）となる大当たり（確変大当たり）となる割合である確変率は（通常状態、確変状態共に）６６．６％である。大当たりが発生すると１５ラウンド（Ｒ）分だけ大入賞口１９を開放する。尚、１Ｒの上限入賞数は１０個であり、上限開放時間は３０秒であり、上限入賞数又は上限開放時間の何れかが満たされた場合に１Ｒを終了する。
【００１５】
（４）確変中は大当たり確率が１／３６に向上すると共に、各始動口１７、１８への入賞率が高くなる時短状態（時短）になる。尚、確変は次回大当たりまで継続するので、大当たり後に大当たりでも確変でもない状態である通常遊技状態（通常状態）となる大当たり（通常大当たり）が発生するまで継続し、その後は所定数（例えば１００回）の図柄変動を行うまで時短状態となり、その後に通常状態となる。
【００１６】
（５）第２始動口１８は普図入賞口１６への入賞に応じて変動する普通図柄（普図）が当たりとなった場合に入賞率の高い開放状態となる。この場合、普図１回の変動時間は通常状態では３０秒であり時短状態では３秒となる。また、開放時間は通常状態では０．３秒であり時短状態では５秒となる。即ち、時短状態では通常状態と比較して普図変動時間が短くなる一方、開放時間は長くなることで第２始動口１８の入賞率が高くなる。
【００１７】
遊技機１及び当該遊技機１に付設された周辺機器は、遊技者による玉の打ち込みや各始動口１７、１８への始動入賞等の遊技の進行に伴って、以下に示す遊技信号を出力する。
アウト信号＝消費玉を回収するアウトＢＯＸから出力される消費価値（アウト）を特定可能な信号である。消費（使用、打込、回収）玉１０玉に対して１パルスが出力されるので、「アウト信号数×１０」をアウトとして特定する。尚、遊技機１から出力される信号でもよい。
【００１８】
セーフ信号＝遊技機１から出力される入賞付与価値（セーフ）を特定可能な信号である。払出１０玉に対して１パルスが出力されるので、「セーフ信号数×１０」をセーフとして特定する。尚、補給装置から出力される補給信号をセーフ信号としてもよい。
【００１９】
始動信号＝遊技機１から出力される始動入賞により変動（作動）する液晶表示部１５におけるスタート処理（図柄変動）を特定可能な信号である。図柄変動確定時に出力されるので、始動信号の入力に応じてスタート処理を特定し、「始動信号×１」をスタート回数として特定する。尚、第１始動口１７又は第２始動口１８への入賞を示す信号としてもよい。
【００２０】
大当たり信号＝遊技機１から出力される大当たり期間を特定可能な信号である。大当たり中にレベル出力される状態信号であるので、大当たり信号の入力中を大当たり中として特定する。
【００２１】
特別状態信号＝遊技機１から出力される特別状態（甘中）を特定可能な信号である。第２始動口１８の入賞率が向上する特別状態中（時短中）にレベル出力される状態信号であるので、特別状態信号の入力中を特別状態中として特定する。また、大当たり信号と特別状態信号の何れも入力していない期間を通常状態として特定する。
【００２２】
貸出機２は、所謂各台計数機能付のものであり、遊技機１の遊技状態を示す状態表示部２０、貨幣が投入される貨幣投入口２１、遊技者からの操作入力を受け付けると共に前記図柄変動回数等の各種遊技情報や後述する暗証番号を入力するためのテンキー等を表示するタッチパネル式の液晶表示部２２、持玉や貯玉を払出すための払出ボタン２３、払出された玉が通過する払出ノズル２４、後述する一般カード９や会員カード１０が挿入されるカード挿入口２５、遊技機１の下部受皿１４の下方に位置する着脱可能な計数受皿２６等を有する。
【００２３】
また、貸出機２は、フェリカ（登録商標）携帯（以下「携帯端末３０」と称す）に記録されている携帯ＩＤの読み取りが可能な非接触式の携帯端末用リーダ３０ａを有する。携帯ＩＤとは、携帯端末３０に内蔵されたＩＣチップに付与されているＩＤｍで、携帯端末３０を識別するための固有のＩＤである。
【００２４】
貸出機２は、図２のブロック図で示すように、ＣＰＵ２ａ、ＲＯＭ２ｂやＲＡＭ２ｃ等の記録部２Ｍ、Ｉ／Ｏ２ｄを有するマイクロコンピュータにより構成される制御部２Ａ（発行条件設定手段、記録媒体処理手段、有効化手段、許可手段、受付手段（第１受付手段）、発行手段（第１発行手段）、第１書換手段、解除手段、使用条件特定手段、第２書換手段）、当該制御部２Ａと接続された周辺部を備えて構成されている。
【００２５】
係る周辺部としては、管理装置６等との間で各種信号や各種情報を送受信するためのＩ／Ｆ部２７、状態表示部２０、貨幣投入口２１に投入された紙幣の真贋を判定する紙幣管理部２１ａ、液晶表示部２２、当該表示部２２上に設けられたタッチパネル２２ａ、カード挿入口２５に挿入されたカード９，１０に記録されている各種情報を読み取ったり、書き込んだりするカードＲＷ（リーダライタ）２５ａ、払出ボタン２３、当該払出ボタン２３が操作されたときに、玉を払出ノズル２４から払出すための払出部２３ａ、計数受皿２６から流入する玉数を計数する計数部２８、携帯端末用リーダ３０ａを有する。また、図示は省略するが、貸出機２は、その内部に例えば最大１０枚の一般カード９をストック可能なカードストック部等を有する。
【００２６】
ここで、遊技者が所有する遊技価値の大きさを特定可能な情報を記録可能な記録媒体には、会員として登録された会員遊技者が所持し、当該会員登録の際に会員遊技者から申告された例えば４桁の暗証番号を設定した（使用条件を設定した）会員カード１０（会員記録媒体）と、会員として登録していない遊技者が所持する一般カード９（一般記録媒体）とがある。
【００２７】
このうち、一般カード９は、当日限り有効なＩＣカードであり、図示しないＩＣチップが内蔵されている。このＩＣチップの記録部には、カードを識別するための識別情報として一般ＩＤが記録されると共に、貸出機２に入金された入金残高や持玉数が記録される。この一般カード９の持玉数は当日のみ有効で、入金残高は翌日以降も利用可能とされている。
【００２８】
これに対し、会員カード１０は、予め設定されている有効期限（例えば３年間）まで有効なＩＣカードであり、図示しないＩＣチップが内蔵されている。このＩＣチップの記録部には、識別情報として会員遊技者を特定可能な会員ＩＤや、入金残高、暗証番号が記録される。会員カード１０に対応する持玉数や貯玉数、暗証番号は、何れも管理装置６において、会員ＩＤと対応付けた会員口座或いは会員データテーブル上で管理される。会員カード１０の持玉数（当日貯玉）、貯玉数（前日貯玉）、並びに入金残高は、翌日以降も利用可能とされている。また、会員カード１０の持玉数は、管理装置６により遊技場の営業終了後に貯玉数に合算して記録する。
【００２９】
尚、会員カード１０の記録領域のうち、暗証番号を記録する記録領域は特別記録領域とされている。また、何れのカード９，１０も遊技者が携帯可能であり、入金残高や持玉数或いは会員ＩＤは、遊技価値の大きさを特定可能な情報として把握される。
【００３０】
貸出機２は、以下に示す機能を備えている。
（ａ）カード９，１０の未挿入状態で貨幣が投入口２１に投入されると、前記カードストック部に収納している一般カード９をカードＲＷ２５ａへ繰り出して、その入金金額（１０００円単位）を記録するとともに、当該入金金額（入金残高）を液晶表示部２２に表示する。
【００３１】
（ｂ）遊技機１の貸出ボタン１３ａが操作されると、その貸出操作に応じて入金残高の範囲内で１度数（５００円）に相当する玉数の玉を遊技機１内部の払出機構から貸し出す貸出処理を行う。
【００３２】
（ｃ）遊技機１の下部受皿１４から落下して計数受皿２６で受けられた玉が計数部２８に流入することで玉を計数し、その計数した玉数である計数玉数を液晶表示部２２に表示する。
【００３３】
（ｄ）払出ボタン２３の操作（払出操作）に応じて計数玉数（持玉数）又は貯玉数（会員遊技者の場合）の範囲内で１度数ずつ遊技機１内部の払出機構から払出す。尚、後述するように、持玉等の払出しは、タッチパネル２２ａのタッチ操作によっても可能である（図３の持玉払出ボタン３１ｅ参照）。
【００３４】
（ｅ）遊技機１の返却ボタン１３ｂの操作に応じて（遊技者の発行操作に応じて）入金残高及び持玉数をカード挿入口２５に挿入されている一般カード９に記録して発行する（カード９を返却する）。会員カード１０が挿入されている場合は、入金残高を会員カード１０に記録して発行する（カード１０を返却する）。カード挿入口２５に何れのカード９，１０も挿入されていない場合は、前記カードストック部にストックしている一般カード９を図示しない記録媒体移動手段によりカードＲＷ２５ａに繰出して、そのカード９に入金残高及び持玉数を記録して発行する。このように、制御部２Ａ、カードＲＷ２５ａ、記録媒体移動手段は、自装置２で受け付けている記録媒体を発行する発行手段に相当する。つまり、記録媒体の発行には、記録媒体に情報を記録して新たに発行する構成や、受け付けていた記録媒体を遊技者に返却する構成が含まれる。尚、入金残高及び持玉数が何れも「０」となった場合は、カードＲＷ２５ａにセットされた一般カード９を記録媒体移動手段によりカードストック部に回収する。
【００３５】
（ｆ）一般カード９がカード挿入口２５に挿入された場合は、一般カード９に記録されている入金残高及び持玉数をカードＲＷ２５ａにより読出して液晶表示部２２に表示する。会員カード１０が挿入された場合は、会員カード１０に記録されている入金残高を読出して液晶表示部２２に表示すると共に持玉数を管理装置６から受信して表示し、又、暗証番号の入力を条件として貯玉数を管理装置６から受信して表示する。
【００３６】
詳しくは後述するが、貸出機２において、会員カード１０を受け付けて貯玉を払出す場合に、液晶表示部２２でのタッチ操作により会員登録時の暗証番号を入力する操作がなされると、その入力された暗証番号を管理装置６へ送信する。管理装置６は、受信した暗証番号について会員データテーブル上のデータと照合し、当該暗証番号が適正であると判断した場合、貸出機２に当該会員遊技者の貯玉数に係る情報（適正信号）を送信する。こうして、貸出機２は、管理装置６からの適正信号を受信したことを条件に（予め定められた使用条件が成立した場合に）当該カード１０に関連付けて記録されている貯玉数（遊技価値の大きさ）を表示して遊技機１での遊技への使用を許可する一方、適正な暗証番号が入力されるまで（使用条件が成立するまで）貯玉の使用を許可せずに禁止する（その会員カード１０の使用を制限する）。尚、貸出機２において、会員カード１０に係る持玉や残高を使用する際、暗証番号の入力を要することなく、その使用が許可される。
【００３７】
貸出機の制御部２Ａ（以下、適宜「貸出機２」と略す）は、上記した機能並びに後述する合算機能の他、以下の信号を管理装置６側へ送信する機能を有する。
・売上信号：玉の貸出しに伴い使用された金額（使用金額）を示す信号。
・貯玉払出信号：会員カード１０で貯玉を使用する場合に、払出された貯玉数を示す信号。
・カード発行信号：上記したカード９，１０の発行処理（返却処理）を行う場合に、該当するカード９，１０に記録される入金残高や持玉数を示す信号。
【００３８】
管理装置６側では、こうした信号を受信することで、一般ＩＤや会員ＩＤに対応付けて、持玉、貯玉、及び入金残高を管理している。
図１に示す精算機８は、カード９，１０が挿入されるカード挿入口３５、カード９，１０に対応付けられた入金残高をその払出しにより精算する返却口３６、暗証番号を入力するためのテンキー等の各種情報を表示するタッチパネル式の液晶表示部３７、前記携帯ＩＤの読み取りが可能な携帯端末用リーダ３０ｂ等を有する。
【００３９】
精算機８は、図２のブロック図で示すように、ＣＰＵ８ａ、ＲＯＭ８ｂやＲＡＭ８ｃ等の記録部８Ｍ、Ｉ／Ｏ８ｄを有するマイクロコンピュータにより構成される制御部８Ａ（第２受付手段、特別処理実行手段、第２発行手段、同一判定手段、異常時処理実行手段）を備える。制御部８Ａには、中継装置４を介して管理装置６等との間で各種情報を送受信するためのＩ／Ｆ部３８、カード挿入口３５に挿入されたカード９，１０に記録されている各種情報を読み取ったり、書き込んだりするカードＲＷ３５ａ、液晶表示部３７、当該表示部３７上に設けられたタッチパネル３７ａ、携帯端末用リーダ３０ｂ等が接続されている。
【００４０】
精算機８における、カードＲＷ３５ａ及び制御部８Ａは、記録媒体を受け付ける第２受付手段に相当する。また、精算機８で会員カード１０の入金残高を精算するとき、制御部８Ａ（以下、適宜「精算機８」と略す）は、液晶表示部３７でのタッチ操作により適正な暗証番号が入力されたこと（使用条件が成立したこと）を条件に、当該カード１０から特定可能な遊技価値の大きさの精算である特別処理（貨幣の払出しにより入金残高を精算する精算処理）を実行する特別処理実行手段に相当する。係る精算処理について詳しくは後述する。
【００４１】
管理装置６は、ＣＰＵ６ａ、ＲＯＭ６ｂやＲＡＭ６ｃ等の記録部６Ｍ、Ｉ／Ｏ６ｄを有するマイクロコンピュータにより構成される制御部６Ａを備える。また、管理装置６は、遊技場内における遊技機１、貸出機２、遊技情報表示装置３、精算機８等といった各種装置とは個別に設けられ、それら装置との間で各種情報の送受信を行うためのＩ／Ｆ部３６を備える。制御部６Ａには、モニタ６ｍやキーボード６ｋ等が接続される。
【００４２】
さて、使用条件として予め会員登録時に設定した暗証番号とは別に、会員カード１０を発行するための発行条件としての暗証番号を、遊技者が貸出機２を操作することで設定可能にしたとする。この場合、セキュリティを強化することができるが、係る暗証番号を複数設定することに伴い遊技者の設定作業が煩雑化することも想定される。
【００４３】
また、一般カード９についても、発行条件としての暗証番号を設定可能としておけば、何れのカード９，１０も盗難を抑制することができるが、係る暗証番号を設定した後に、複数のカードを１つのカードにまとめる合算可能なシステムが実現できていないのが実情である。
【００４４】
そこで、本実施形態の遊技場用システムでは、会員カード１０の暗証番号のような発行条件等を複数設定可能な状況において、遊技者の作業を煩雑化することなくセキュリティを高めることができ、又、複数のカード９，１０を合算可能で且つ両カード９，１０のそれぞれに対して発行条件を設定することが可能な構成としている。係る遊技場用システムの構成について、「１．安心ロックによる発行条件の設定」「２．ロック設定状態の表示と認証操作」「３．ロック設定状態の解除」「４．発行条件と使用条件」「５．カードの合算」「６．精算機での精算」の順に、図３以降の図面も参照しながら説明する。また、本実施形態では、カード９，１０を発行するために遊技者が貸出機２を操作することで設定する暗証番号等を発行条件とし、前記使用条件として会員登録時に設定される暗証番号（以下「会員暗証番号」とする）と区別する。
【００４５】
＜１．安心ロックによる発行条件の設定＞
貸出機２において、制御部２ＡやカードＲＷ２５ａは、カード９，１０を受け付ける受付手段、及び遊技者の設定操作に応じてカード９，１０に対して発行条件を設定する発行条件設定手段として構成されており、遊技者により、カード挿入口２５に挿入された一般カード９又は会員カード１０に、発行条件としての暗証番号或いは前記携帯ＩＤの対応付けが可能である。ここで、図３及び図４は一般カード９を挿入口２５に挿入したときの液晶表示部２２での画面遷移、図５〜図７は、会員カード１０を挿入口２５に挿入したときの液晶表示部２２での画面遷移を示している。尚、図３以降で用いる符号「Ｓ」は、画面遷移のステップＳ（遷移画面Ｓ）を表すものとし、各遷移画面Ｓにおいて実質的に同一の表示部分には同一の符号を付す等して説明を簡単化する。
【００４６】
具体的には、貸出機２は、一般カード９が挿入口２５に挿入されると、図３に示す待機画面Ｓ３１を表示する。待機画面Ｓ３１には、貸出レートや貸出１単位分の玉数を表す欄３１ａ、来場者に対する案内表示を表す欄３１ｂ、挿入されているカード９，１０の種別を表す欄３１ｃ（同図では一般カードを表す）、入金残高や持玉を表す欄３１ｄ、持玉を払出すための持玉払出ボタン３１ｅが設けられている。このうち、カード９，１０の種別を表す欄３１ｃでは、以下に説明する安心ロックの設定の有無（同図では解錠マークｍ´）も表される。
【００４７】
貸出機２は、待機画面Ｓ３１における持玉払出ボタン３１ｅ以外の領域がタッチ操作されるとメニュー画面Ｓ３２に遷移する。メニュー画面Ｓ３２には、安心ロックボタン３２ａ、詳細情報ボタン３２ｂ、合算ボタン３２ｃの他、次ボタン３２ｄ、終了ボタン３２ｅ等が設けられている。貸出機２は、次ボタン３２ｄがタッチ操作されると、図示しない次のメニュー画面に遷移し、終了ボタン３２ｅがタッチ操作されると待機画面Ｓ３１に戻る。また、メニュー画面Ｓ３２がタッチ操作されることなく所定期間継すると、待機画面Ｓ３１に戻る。
【００４８】
そして、貸出機２は、メニュー画面Ｓ３２における安心ロックボタン３２ａがタッチ操作されると、安心ロック画面Ｓ３３に遷移する。安心ロック画面Ｓ３３には、携帯端末３０としての「スマホをタッチして下さい  または  暗証入力ボタンを押して暗証番号を入力して下さい」と表示する欄３３ａ、暗証入力ボタン３３ｂ、中止ボタン３３ｃが設けられている。貸出機２は、中止ボタン３３ｃがタッチ操作されると待機画面Ｓ３１に戻る一方、遊技者が携帯端末３０を翳す操作、或いは暗証入力ボタン３３ｂのタッチ操作に応じて、図４の画面Ｓ４０，Ｓ４１に遷移する（丸で囲んだＡ１或いはＢ１参照）。
【００４９】
即ち、遊技者が自身の携帯端末３０を貸出機２の携帯端末用リーダ３０ａに翳した場合い（設定操作した場合、同図４参照）、貸出機２は、そのリーダ３０ａにて当該携帯端末３０の携帯ＩＤを読み取って（発行条件を記録して）、安心ロック画面Ｓ３３からロック済画面Ｓ４０に遷移する。ロック済画面Ｓ４０には、カード挿入口２５に挿入されている一般カード９について「安心ロックをかけました」とのメッセージが、その旨を表す施錠マークｍと共に表示される。
【００５０】
一方、携帯端末３０の所持の有無にかかわらず、貸出機２において、安心ロック画面Ｓ３３の暗証入力ボタン３３ｂがタッチ操作されると、図４の暗証番号入力画面Ｓ４１に遷移する。暗証番号入力画面Ｓ４１には、テンキー４１ａが設けられている。暗証番号入力画面Ｓ４１において、遊技者がテンキー４１ａのタッチ操作（設定操作）により４桁の暗証番号を入力すると、貸出機２は、次の画面Ｓ４２に遷移する。この画面Ｓ４２は、確認のため再度の暗証番号の入力を求めるものであり、当該画面Ｓ４２の表示後、再度テンキー４３ａを表示する暗証番号入力画面Ｓ４３へ遷移する。尚、暗証番号入力画面Ｓ４１，Ｓ４３に設けられた中止ボタン４１ｂ，４３ｂがタッチ操作されると待機画面Ｓ３１に戻り、戻るボタン４１ｃがタッチ操作されると、１つ前の画面Ｓ３３に戻る。
【００５１】
貸出機２は、暗証番号入力画面Ｓ４３で入力された暗証番号と先の暗証番号入力画面Ｓ４１で入力された暗証番号とが一致すると判定すると、その暗証番号を発行条件として記録し、暗証番号入力画面Ｓ４３からロック済画面Ｓ４４に遷移する。
【００５２】
こうして、貸出機２において、発行条件として携帯ＩＤ又は暗証番号が遊技者の設定操作に応じて入力されることにより、ロック済画面Ｓ４０又はＳ４４が表示されると共に、一般カード９に対し発行条件が設定されて当該カード９に安心ロックをかけていないロック未設定状態からロック設定状態へと切り換わる。
【００５３】
これに対し、貸出機２において、会員カード１０が挿入口２５に挿入されると、図５に示す待機画面Ｓ５１を表示する。図５の待機画面Ｓ５１は、カード９，１０の種別を表す欄３１ｃで「会員カード」を表し、入金残高や持玉を表す欄３１ｄで当該カード１０に対応付けられた値を表す点で、図３の待機画面Ｓ３１と相違する。
【００５４】
貸出機２は、待機画面Ｓ５１から遷移したメニュー画面Ｓ５２において、安心ロックボタン３２ａがタッチ操作されると、図６の安心ロック画面Ｓ６１に遷移する。これにより、会員カード１０についても、遊技者が携帯端末３０を貸出機２のリーダ３０ａに翳すことで、当該貸出機２において、当該携帯端末３０の携帯ＩＤを読み取って（発行条件を記録して）、安心ロック画面Ｓ６１からロック済画面Ｓ６２に遷移する。
【００５５】
一方、図６の安心ロック画面Ｓ６１において、暗証入力ボタン３３ｂがタッチ操作されると、同画面Ｓ６１から暗証番号入力画面Ｓ６３に遷移する。これにより、会員カード１０についても、暗証番号入力画面Ｓ６３において、テンキー４１ａのタッチ操作により４桁の暗証番号を入力し、次の画面Ｓ６４を経て遷移した暗証番号入力画面Ｓ６５において、同暗証番号を入力することができる。
【００５６】
貸出機２において、両暗証番号入力画面Ｓ６３，Ｓ６５で入力された暗証番号が一致すると判定すると、その暗証番号を発行条件として記録し、暗証番号入力画面Ｓ６５からロック済画面Ｓ６６に遷移する。
こうして、貸出機２において、発行条件として携帯ＩＤ又は暗証番号が入力されることにより、ロック済画面Ｓ６２又はＳ６６が表示されると共に、会員カード１０に対し発行条件が設定されて当該カード１０をロック未設定状態からロック設定状態へと切り換える。
【００５７】
尚、貸出機２において、携帯ＩＤと暗証番号とのうち何れか一方のみを発行条件として入力可能としてよいことは勿論である。例えば、暗証番号のみを入力可能な貸出機２にあっては、図５のメニュー画面Ｓ５２で、安心ロックボタン３２ａがタッチ操作されると、図７の安心ロック画面Ｓ７１に遷移する（丸で囲んだＢ２参照）。この画面Ｓ７１では「安心ロック中です  暗証番号を入力して下さい」と表示して、当該画面Ｓ７１の表示後、暗証番号入力画面Ｓ７２へ遷移する。それ故、この場合でも、４桁の暗証番号を２回順次入力し、これに合わせて図７に示す画面Ｓ７３、Ｓ７４、Ｓ７５も順次遷移し、会員カード１０（一般カード９も同様）をロック未設定状態からロック設定状態へと切り換えることができる。
【００５８】
貸出機２において、一般カード９或いは会員カード１０に対して発行条件が設定された後、図３の待機画面Ｓ３１或いは図５の待機画面Ｓ５１に戻ると、同画面Ｓ３１或いはＳ５１における中段の欄３１ｃの解錠マークｍ´に代えて、図８右側の画面Ｓ８２に示す施錠マークｍを表示する。
【００５９】
即ち、図８左側の拡大画面Ｓ８１で表すように、貸出機２は、カード９，１０がロック未設定状態のとき、待機画面Ｓ３１、Ｓ５１の中段の欄３１ｃに解錠マークｍ´を表示させる。また、図８右側の拡大画面８２で表すように、貸出機２は、ロック設定状態のとき当該中段の欄３１ａに施錠マークｍを表示させるため、待機画面Ｓ３１、Ｓ５１で発行条件が設定されているか否かを直ぐに把握することができる。
【００６０】
＜２．ロック設定状態の表示と認証操作＞
図９は、貸出機２においてカード９，１０がロック設定状態にあるときに、そのカード９，１０を発行する（返却する）ために必要な認証操作の手順を示している。この認証操作については、両カード９，１０で実質的に同じであるため、一般カード９を中心に説明する。
【００６１】
具体的には、貸出機２において、遊技者の前記発行操作に応じて現に受け付けている一般カード９を発行するとき、当該一般カード９に発行条件として暗証番号が設定されている場合には、液晶表示部２２に、図９の画面Ｓ９１を表示させる。この画面Ｓ９１では「安心ロック中です  暗証番号を入力して下さい」と表示して、当該一般カード９について安心ロックをかけたときと同じ暗証番号を入力する認証操作を求め、当該画面９１の表示後、暗証番号入力画面Ｓ９２へ遷移する。
【００６２】
一方、当該一般カード９に発行条件として携帯ＩＤが設定されている場合には、液晶表示部２２に、図９で下側の画面Ｓ９３を表示させる。この画面Ｓ９３では「安心ロック中です  スマホをタッチして下さい」と表示して、当該一般カード９について安心ロックをかけたときと同じ携帯端末３０をリーダ３０ａに翳す認証操作を求める。
【００６３】
こうして、貸出機２は、認証操作により入力された暗証番号又は携帯ＩＤと、発行条件として設定されている暗証番号又は携帯ＩＤとを照合して、両者（各々の暗証番号又は携帯ＩＤ）が一致することを条件に（発行条件が成立したことを条件に）一般カード９を発行する。この場合、貸出機２は、入金残高及び持玉数と併せて暗証番号又は携帯ＩＤを一般カード９に記録して発行することで、一般カード９に発行条件を対応付ける（ロック設定状態を維持する）。
【００６４】
＜３．ロック設定状態の解除＞
図１０は、一般カード９のロック設定状態を解除してロック未設定状態へと切り替えるための解除操作の手順を示しており、係る手順も一般カード９を中心に説明する。
【００６５】
図１０上側の画面Ｓ１０１〜Ｓ１０５は、一般カード９に発行条件として暗証番号が設定されている場合にロック設定状態を解除するときの画面遷移、図１０下側の画面Ｓ１０６〜Ｓ１０９は、一般カード９に発行条件として携帯ＩＤが設定されている場合にロック設定状態を解除するときの画面遷移を示している。
【００６６】
即ち先ず、貸出機２において、一般カード９がロック設定状態のとき、図１０上側の待機画面Ｓ１０１から遷移したメニュー画面Ｓ１０２には、安心ロックボタン３２ａに代えて安心ロック解除ボタン３２ａ´が表示される。このロック設定状態の解除に際して、安心ロック解除ボタン３２ａ´がタッチ操作されると、安心ロック解除画面Ｓ１０３に遷移する。安心ロック解除画面Ｓ１０３では、発行条件として暗証番号が設定されている場合に「安心ロック中です  暗証番号を入力して下さい」と表示し、その後、暗証番号入力画面Ｓ１０４へ遷移する。
【００６７】
これにより、貸出機２において、暗証番号入力画面Ｓ１０４で暗証番号が入力されると（解除操作が行われると）、その入力された暗証番号と、発行条件として設定されている暗証番号とを照合して、両者が一致することを条件に、ロック解除画面Ｓ１０５を表示すると共に一般カード９をロック設定状態からロック未設定状態へと切り換える。ロック解除画面Ｓ１０５には、カード挿入口２５に挿入されている一般カード９について「安心ロックを解除しました」とのメッセージが、その旨を表す解錠マークｍ´と共に表示される。尚、遊技者が暗証番号を失念した場合、遊技場の管理者等により貸出機２に対して一般カード９を強制的に発行させる操作入力を行うことにより、暗証番号を入力することなくロック設定状態の解除が可能である。
【００６８】
一方、発行条件として携帯ＩＤが設定されている場合も、図１０下側の待機画面Ｓ１０６から遷移したメニュー画面Ｓ１０７に安心ロック解除ボタン３２ａ´が表示される。この安心ロック解除ボタン３２ａ´がタッチ操作されると、安心ロック解除画面Ｓ１０８に遷移する。安心ロック解除画面Ｓ１０８では「スマホをタッチして下さい」と表示して、安心ロックをかけたときと同じ携帯端末３０をリーダ３０ａに翳す解除操作を求める。これにより、貸出機２において、携帯端末３０をリーダ３０ａに翳すことに伴い（解除操作が行われることに伴い）、入力された携帯ＩＤと、発行条件として設定されている携帯ＩＤとを照合して、両者が一致することを条件に、ロック解除画面Ｓ１０９を表示すると共に一般カード９をロック設定状態からロック未設定状態へと切り換える。
【００６９】
こうして、貸出機２では、暗証番号や携帯端末３０を用いた解除操作により一般カード９がロック未設定状態になると、前記認証操作を行うことなく、又、当該カード９に発行条件を対応付けることなく、発行操作に応じて発行することができる。尚、ロック設定状態の会員カード１０についての解除操作や認証操作では、上記の一般カード９と同様、発行条件を成立させるために暗証番号又は携帯端末３０が用いられることとなる。
【００７０】
＜４．発行条件と使用条件＞
本遊技場用システムにおける会員暗証番号は、管理装置６により会員カード１０を識別するための会員ＩＤに対応付けて管理されている。係る使用条件としての会員暗証番号や、発行条件としての暗証番号或いは携帯ＩＤに関する、各カード９，１０の記録内容乃至取扱いについて説明しておく。
【００７１】
先ず、貸出機２では、ロック設定状態の一般カード９を発行操作に応じて発行する際、認証操作が行われると、そのカード９に発行条件としての暗証番号又は携帯ＩＤを記録させる。つまり、一般カード９については、暗証番号又は携帯ＩＤが書き込まれることにより、ロック設定状態が維持される。
【００７２】
これに対し、貸出機２において、ロック設定状態の会員カード１０を発行操作に応じて発行する際、認証操作が行われると、その会員カード１０に発行条件としての暗証番号又は携帯ＩＤを記録させる。つまり、貸出機２は、会員カード１０に対し発行条件として暗証番号又は携帯ＩＤを設定した場合に、当該カード１０の前記特別記録領域に記録している情報を会員暗証番号から暗証番号又は携帯ＩＤに書き換える（上書き更新する）ことにより、当該カード１０についてロック設定状態が維持される。
【００７３】
また、貸出機２は、遊技者の解除操作に応じて、暗証番号や携帯ＩＤといった発行条件を解除する場合、管理装置６が管理する会員カード１０の使用条件（会員データテーブル上の会員暗証番号）を要求する信号を送信する。管理装置６は、その要求に応じて会員データテーブル上の会員暗証番号を照合し、貸出機２に対して該当する会員暗証番号を送信する。こうして、貸出機２は、会員カード１０の会員暗証番号を特定すると、その特定結果に応じて、当該カード１０の特別記録領域に記録している情報が暗証番号又は携帯ＩＤであれば、その発行条件を会員暗証番号に書き換える。それ故、発行条件を解除することにより或いは未だ発行条件が設定されていないロック未設定状態の会員カード１０については、その特別記録領域に会員暗証番号のみが記録されることとなる。
【００７４】
このように会員カード１０については、当該カード１０に会員暗証番号と暗証番号又は携帯ＩＤとの何れか１つを記録させ、併せて管理装置６で会員暗証番号を管理することで、当該カード１０（特別記録領域）の記録容量を増大させることなく、発行条件と使用条件とを適宜設定することができる。それ故、ロック設定状態の会員カード１０については、貸出機２での持玉の払出し等に関し、発行条件と使用条件とを分けて用いることができる。
【００７５】
例えば遊技場では、持玉（当日貯玉）の払出数を累計した累計払出数の上限値が管理装置６にて予め設定されており、管理装置６は、ロック設定状態の会員カード１０が受け付けられている貸出機２において、持玉の累計払出数が上限値に達したとき、その旨のメッセージを液晶表示部２２に表示させると共に、認証操作に係る図９の画面Ｓ９１，Ｓ９２又はＳ９３を表示させる。このときの画面Ｓ９２又はＳ９３表示に応じて、発行条件として設定したときの暗証番号又は携帯端末３０を使用することで、以降の持玉の払出しが許可される。
【００７６】
一方、貸出機２において、貯玉の払出し（再プレイ）を行うには、会員カード１０がロック設定状態にあるか否かにかかわらず、会員暗証番号の入力により、貯玉数を管理装置６から受信して表示させる必要がある。この会員暗証番号を入力する際、図５のメニュー画面Ｓ５２で詳細情報ボタン３２ｂをタッチ操作して、「会員登録時の暗証番号を入力してください」と表示する画面（図示略）と、認証操作時の図９の画面Ｓ９２と同様の画面（図示略）とを順次表示させて、会員暗証番号を入力することができる。こうした会員暗証番号を入力するための画面は、当該貯玉について前記払出操作をしたときにも表示させ、当該貯玉を払出させるための使用条件として、会員暗証番号が入力されることを条件に、その払出しを許可するようにしてもよい。このように、会員カード１０に対応付けられた持玉の払出し（当日貯玉の上限値に係る払出しの許可）には暗証番号を使用する一方、貯玉の払出し（前日貯玉の払出しの許可）については会員暗証番号を使用する。
【００７７】
＜５．カードの合算＞
貸出機２は、２枚のカードのうち一方のカードを合算先記録媒体、他方のカードを合算元記録媒体として、各カードに記録している遊技価値の大きさを合算して合算先記録媒体に対応付けるものとして記録することで、１枚のカードにまとめる合算機能を備える。この合算の具体例について、図１１の遷移画面Ｓ１１１〜Ｓ１１５を参照しながら説明する。この例では、貸出機２に対して先に挿入される一般カード９を合算元とし、次に挿入される会員カード１０を合算先とする。また、何れのカード９，１０もロック未設定状態で、合算元の一般カード９には入金残高1000円と持玉20000玉、合算先の会員カード１０には入金残高1000円と持玉500玉がそれぞれ対応付けられているものとする。
【００７８】
即ち、貸出機２は、先ず一般カード９が挿入口２５に挿入されると、当該カード９を受け付けている状態で液晶表示部２２に図１１の画面Ｓ１１１を表示する。このとき、会員遊技者はタッチ操作により、メニュー画面Ｓ１１２に遷移させて合算ボタン３２ｃを選択することにより、合算案内画面Ｓ１１３に遷移させる。また、合算案内画面Ｓ１１３でのＯＫボタン１１３ｂのタッチ操作により、「カードを挿入して下さい」と表示する画面Ｓ１１４に遷移させる。これにより、会員遊技者は、貸出機２の挿入口２５に会員カード１０を挿入して合算させ、或いは画面Ｓ１１３，Ｓ１１４の中止ボタン１１３ｂ，１１４ｂのタッチ操作により待機画面Ｓ３１に戻すこともできる。
【００７９】
こうして、貸出機２では、次の会員カード１０が挿入口２５に挿入されて当該カード１０を受け付けた場合に、一般カード９に記録されている入金残高及び持玉数を会員カード１０の入金残高及び持玉数にそれぞれ合算し、これを会員カード１０に対応付ける遊技価値（画面Ｓ１１５に示す入金残高2000円と持玉20500玉）として記録する。これに伴い、合算元の一般カード９の入金残高及び持玉数をゼロリセットして初期化し、その初期化した一般カード９を記録媒体移動手段によりカードストック部に回収する。
【００８０】
尚、会員カード１０が挿入口２５に挿入されている状態で、一般カード９が挿入口２５に挿入されても、会員カード１０に対応する持玉数を一般カード９に合算しないものとする。即ち、貸出機２では、先に挿入していたカードを回収する構成にあるため、一般カード９を合算元、会員カード１０を合算先として合算する行為は許可されるが、会員カード１０を合算元、一般カード９を合算先として合算する行為は禁止される。これにより、貸出機２は、会員カード１０と一般カード９とに対応付けて記録している遊技価値の大きさを合算する場合、会員カード１０を合算先記録媒体にするものとしている。また、２枚の一般カード９にそれぞれ対応付けて記録している遊技価値の大きさを合算する場合も、先に挿入された一般カード９を合算元記録媒体として初期化し回収する一方、次に挿入された一般カード９（新たな一般記録媒体）を合算先記録媒体にするものとしている。
【００８１】
以上を前提として、本実施形態の貸出機２には、両カード９，１０のロック設定状態とロック未設定状態とを想定した、以下の（１）〜（４）に大別されるパターンについて合算可能としている。また、説明の便宜上、複数の一般カード９の合算を想定して、合算元の一般カード９に符号「Ａ」を、合算先の一般カード９に符号「Ｂ」を付して区別する。
【００８２】
（１）ロック未設定状態の一般カード９Ａを合算元、ロック未設定状態の会員カード１０（又は一般カード９Ｂ）を合算先として合算する、上記した図１１のパターン
このパターン（１）の場合、貸出機２は、回収する一般カード９Ａ、並びに合算先の会員カード１０（又は一般カード９Ｂ）の何れも、発行条件が設定されていないため、暗証番号又は携帯ＩＤに関する新たな書込みを行わず、合算先の会員カード１０（又は一般カード９Ｂ）のロック未設定状態を維持するように構成されている。
【００８３】
（２）ロック設定状態の一般カード９Ａを合算元、ロック未設定状態の会員カード１０（又は一般カード９Ｂ）を合算先として合算するパターン
このパターン（２）の場合、貸出機２は、合算先の会員カード１０（又は一般カード９Ｂ）に対して、合算元の暗証番号又は携帯ＩＤを書き込むことで、合算先の会員カード１０（又は一般カード９Ｂ）をロック設定状態とするように構成されている。
【００８４】
（３）ロック未設定状態の一般カード９Ａを合算元、ロック設定状態の会員カード１０（又は一般カードＢ）を合算先として合算するパターン
このパターン（３）の場合、貸出機２は、合算先の会員カード１０（又は一般カード９Ｂ）に対して、暗証番号又は携帯ＩＤに関する新たな書込みを行わず、合算先の会員カード１０（又は一般カード９Ｂ）のロック設定状態を維持するように構成されている。
【００８５】
（４）ロック設定状態の一般カード９Ａを合算元、ロック設定状態の会員カード（又は一般カードＢ）を合算先として合算するパターン
このパターン（４）の場合、貸出機２は、合算先の会員カード１０（又は一般カード９Ｂ）に対して、暗証番号又は携帯ＩＤに関する新たな書込みを行わず、合算先の会員カード１０（又は一般カード９Ｂ）のロック設定状態を維持するように構成されている。
【００８６】
以上の各パターン（１）〜（４）において、貸出機２は、一般カード９Ａを受け付けている状態で、新たな一般カード９Ｂを受け付けた場合に、当該新たな一般カード９Ｂを合算先記録媒体にするものといえる。
【００８７】
また、上記パターン（１）〜（４）全体を考察すれば、貸出機２は、合算元のカード９Ａ及び合算先のカード１０又は９Ｂのうち、一方のカードに対して暗証番号又は携帯ＩＤが設定されていた場合、当該暗証番号又は携帯ＩＤを合算先のカード１０又は９Ｂにて有効化するものといえる。更に、貸出機２は、上記パターン（２）において、会員カード１０及び一般カード９のうち、一般カード９に対して暗証番号又は携帯ＩＤが設定されていた場合、当該暗証番号又は携帯ＩＤを会員カード１０に書き込んで有効にするものといえる。
【００８８】
また、貸出機２は、上記パターン（４）において、合算元のカード９Ａ及び合算先のカード１０又は９Ｂのうち、両方のカードに対して暗証番号又は携帯ＩＤが設定されていた場合、それらカードの遊技価値に係る合算の後、合算先のカード１０又は９Ｂに対して設定されていた暗証番号又は携帯ＩＤを維持することにより有効化するものといえる。
【００８９】
尚、何れのカード９Ａ，９Ｂ，１０も自身の記録領域内に、ロック設定状態か否かを判定するためのフラグを設けており、貸出機２は、上記した暗証番号又は携帯ＩＤに関する新たな書込みや、初期化、前記解除操作等により、ロック設定状態とロック未設定状態との間でその設定状態が切り換わる際には、当該ロック設定に応じてフラグを「１」に設定し、或いは当該解除操作等に応じてフラグを「０」に設定するように構成されている。
【００９０】
＜６．精算機での精算＞
図１２は、精算機８の液晶表示部３７における会員カード１０精算時の画面遷移を表している。ここで、会員遊技者は、自身の会員カード１０を精算機８の挿入口３５（図１参照）へ挿入して、貨幣の払出しにより入金残高（例えば１１００円）を精算するものとする。また、本実施形態の精算機８にあっては、カード挿入口３５に挿入されて受け付けられた当該カード１０がロック設定状態でなければ、適正な会員暗証番号が入力されたことを条件に、当該カード１０から特定可能な入金残高の大きさについて精算する精算処理を実行する一方、ロック設定状態であれば、適正な会員暗証番号の入力に加えて暗証番号又は携帯ＩＤが入力されたことを条件に、精算処理を実行する。
【００９１】
即ち先ず、精算機８は、カード挿入口３５に挿入された会員カード１０の情報を読取ることにより、ロック設定状態か否かを判定する。精算機８は、当該カード１０に対して、前記フラグが「０」に設定されていれば（発行条件としての暗証番号又は携帯ＩＤが設定されていなければ）、ロック未設定状態と判定し、図１２上段のステップＳ１２１〜Ｓ１２３の画面表示を省略して、中段の会員暗証番号入力画面Ｓ１２４を表示する。会員暗証番号入力画面Ｓ１２４では、「会員登録時の（会員）暗証番号を入力して下さい」とのメッセージを、テンキー１２４ａ及び取消ボタン１２４ｂと共に表示する。尚、精算機８は、ロック設定状態か否かの判定を、会員カード１０のフラグの情報に基づき行うものとし、フラグが「１」に設定されていればロック設定状態と判定する。
【００９２】
精算機８は、会員遊技者のテンキー１２４ａのタッチ操作により会員暗証番号が入力されると、その入力された会員暗証番号を管理装置６へ送信する。管理装置６は、受信した会員暗証番号について会員データテーブル上のデータと照合し、当該会員暗証番号が適正であると判断した場合、当該精算機８に適正信号を送信する。こうして、精算機８は、正常に管理装置６と通信可能な場合に（オンライン状態の場合に）、その管理装置６から適正信号を受信したことを条件に（使用条件が成立したことを条件に）、精算処理を実行して、その精算結果を表す精算画面Ｓ１２５に遷移する。
【００９３】
ここで、精算機８と管理装置６との間の通信については、その通信経路の断線やノイズの影響、装置６側における電源遮断による通信不能状態等、精算機８と管理装置６との間での何らかの原因により正常に通信できない状況（オフライン状態）が生じうる。それ故、オフライン状態において、精算機８は、上記した管理装置６との通信を行うことなく、会員カード１０の特別記録領域に記録している会員暗証番号と、会員暗証番号入力画面Ｓ１２４で入力された会員暗証番号との比較により、両者が一致したことを条件に（使用条件が成立したことを条件に）、精算処理を実行して精算画面Ｓ１２５に遷移する。
【００９４】
精算画面Ｓ１２５には、会員カード１０に対応付けられていた入金「残高」が精算金額として表示され、その精算処理を実行した後の入金残高０円に上書き更新された会員カード１０を、遊技者が挿入口３５から引き抜けるようにして発行する。これにより、遊技者が挿入口３５から会員カード１０を引き抜くと、精算機８は、返却口３６から入金残高を払い出し、「精算金のお取り忘れにご注意下さい」とのメッセージを表示する最終画面Ｓ１２６に遷移する（精算処理を終了する）。
【００９５】
これに対し、精算機８は、発行条件としての暗証番号又は携帯ＩＤが設定された会員カード１０が挿入口３５に挿入されると、ロック設定状態と判定して、図１２上段の待機画面Ｓ１２１を表示する。また、このとき、精算機８は、当該カード１０の会員暗証番号を管理装置６から取得する（オンライン状態で受信しておく）。
【００９６】
待機画面Ｓ１２１では、「精算を行うには携帯をタッチか暗証番号を入力して下さい」とのメッセージを、テンキー１２４ａ及び取消ボタン１２４ｂと共に表示する。尚、会員カード１０に携帯ＩＤが設定されていることにより、ロック設定状態と判定される場合、「精算を行うには携帯をタッチして下さい」とのメッセージを表す右側の画面Ｓ１２２を表示してもよい。
【００９７】
精算機８において、待機画面Ｓ１２１でのテンキー１２４ａのタッチ操作により暗証番号が入力されると、その入力された暗証番号と、会員カード１０に設定されている暗証番号とを比較すると共に、これに合わせて確認画面Ｓ１２３を表示する。このとき、精算機８は、両暗証番号が一致した（発行条件が成立した）と判定した場合、更に、その暗証番号と管理装置６から取得した会員暗証番号とが同一であるか否かを判定する。
【００９８】
暗証番号と会員暗証番号は、それぞれ４桁で且つ同一の会員遊技者により設定されるため、それぞれの４桁の数字が相互に同じであることも想定される。それ故、精算機８において、発行条件としての暗証番号と使用条件としての会員暗証番号とが同一であると判定した場合、先の発行条件が一度成立していれば、発行条件に加えて使用条件が成立したものとみなして精算処理を実行する。この場合、精算機８は、会員暗証番号入力画面を表示するステップＳ１２４を省略して、精算画面Ｓ１２５に遷移し、その精算処理の実行に伴い更新された会員カード１０を挿入口３５から発行する（最終画面Ｓ１２６に遷移する）。換言すれば、精算機８は、会員カード１０に暗証番号に係る発行条件が設定されていれば、使用条件が成立することなく発行条件が成立した場合に、精算処理を実行して、会員カード１０を発行するものといえる。
【００９９】
尚、上記の例とは異なり、会員暗証番号入力画面を表示するステップＳ１２４を、暗証番号を入力する待機画面を表示するステップＳ１２１よりも先に実行してもよい。この場合でも、精算機８において、当該先の会員暗証番号入力画面Ｓ１２４で入力された会員暗証番号について、前記使用条件が成立し、且つ管理装置６から取得した会員暗証番号と同一であると判定した場合、先の使用条件に加えて発行条件が成立したものとみなして（待機画面Ｓ１２１を表示することなく）精算処理を実行して精算画面Ｓ１２５に遷移する。
【０１００】
上記した待機画面Ｓ１２１又はＳ１２２において、携帯端末３０をリーダ３０ｂ（図１参照）に翳した場合、或いは前記待機画面Ｓ１２１で入力した暗証番号と会員暗証番号とが一致しない場合、確認画面Ｓ１２３と会員暗証番号入力画面Ｓ１２４とが順次表示される。このとき、精算機８は、会員暗証番号入力画面Ｓ１２４で入力した会員暗証番号と、管理装置６から取得した会員暗証番号とが一致することを条件に、精算処理を実行して精算画面Ｓ１２５に遷移する。
【０１０１】
また、精算機８は、オフライン状態において、上記したロック設定状態の会員カード１０を精算する際、管理装置６から会員暗証番号を取得できないため、待機画面Ｓ１２１のテンキー１２４ａのタッチ操作により入力された暗証番号（又は携帯端末３０を翳すことにより入力された携帯ＩＤ）と会員カード１０に記録している暗証番号（又は携帯ＩＤ）との比較により、両者が一致したことを条件に（発行条件が成立したことを条件に）、精算処理を実行して精算画面Ｓ１２５に遷移する。従って、この場合、会員暗証番号入力画面を表示するステップＳ１２４が省略され、暗証番号（又は携帯ＩＤ）に係る認証操作のみを行うことで足りる。
【０１０２】
尚、待機画面Ｓ１２１，Ｓ１２２や会員暗証番号入力画面Ｓ１２４には、取消ボタン１２４ｂが設けられており、取消ボタン１２４ｂのタッチ操作により、該当画面Ｓ１２１，Ｓ１２２，Ｓ１２４での入力操作を取消して（途中で止めて）、会員カード１０を挿入口３５から排出させることができる。
【０１０３】
以上説明した本実施形態によれば、「カード９，１９の合算」に関して次の効果を奏する。
貸出機２において、複数のカードを合算した際に、一方のカードに暗証番号又は携帯ＩＤが発行条件として設定されていれば、合算後も発行条件の設定が有効になるため、合算した際に発行条件の設定が解除されてしまいカードの盗難リスクが高くなることを抑制できる。つまり、本構成であれば、盗難を抑制する効果を担保しつつ、複数のカードを合算可能であり、かつ遊技者がカードの発行条件を設定可能にすることができる。
【０１０４】
貸出機２において、会員カード１０と一般カード９とを合算する際に、一般カード９に発行条件を設定していれば会員カード１０に引き継ぐことができるため、会員カード１０の受け付けを忘れていた会員遊技者や、多くの遊技価値を得るまでは一般カード９で遊技を行い、遊技価値を得てから会員カード１０に合算して遊技を行いたいと考えている遊技者にも対応することが可能になる。
【０１０５】
貸出機２において、一の一般カード９と他の一般カード９とを合算する際に、その何れかの一般カード９に発行条件を設定していれば発行条件を引き継ぐことができるため、合算した際に発行条件の設定が解除されてしまうことを抑制できる。
【０１０６】
両方のカードに発行条件が設定されている場合、合算先となるカードの発行条件が有効になるため、遊技者にしてみれば使用し続けているカードの設定を維持していることになり、違和感なく合算先のカードを使用することが可能になる。
【０１０７】
また、本実施形態によれば、「精算機８での精算」に関して次の効果を奏する。
貸出機２で会員カード１０に暗証番号又は携帯ＩＤを発行条件として設定する遊技者であれば、セキュリティに対して過敏な遊技者であることが考えられる。この点、貸出機２で発行条件を設定すると、精算機８では使用条件だけでなく発行条件が成立した場合に精算処理が可能になるので、貸出機２で発行条件を設定するだけで精算処理の実行に対してもセキュリティを高めた設定にすることが可能になり、遊技者の設定作業が煩雑化することを抑制できる。これにより、会員カード１０の発行条件を複数設定可能な状況において、遊技者の作業を煩雑化することなくセキュリティを高めることができる。
【０１０８】
上記したように発行条件としての暗証番号と使用条件としての会員暗証番号とが同一である場合、単に貸出機２での発行条件を高めたいだけの遊技者であることが考えられる。この点、本構成において、暗証番号と会員暗証番号とが同一であれば、精算機８において係る発行条件と使用条件とを別個にそれぞれ成立させる必要がなくなる。つまり、発行条件と使用条件とを異ならせるか否かによって、遊技者のセキュリティへの過敏度合を判断し、精算機８でも適切な処理を実行し易くすることが可能になる。
【０１０９】
管理装置６と正常に通信できない状況においては会員カード１０の特別記録領域に過去込まれている条件成立に応じて精算処理を実行するので、最低限のセキュリティを担保できる。また、会員カード１０に使用条件及び発行条件の一方のみを書込むだけでよくなるため、会員カード１０の記録領域が必要以上に大きくなることを抑制できる。
【０１１０】
貸出機２での発行条件の設定に応じて、精算機８での精算処理の実行条件を変化させることができる。これにより、精算処理の実行条件を多様化させることが可能になり、記録媒体が盗難に会った際に不正に使用される危険度を低減することが可能になる。
【０１１１】
本発明は、上記した実施形態にのみ限定されるものではなく、以下のように変形又は拡張したり、各変形例を上記した実施形態と組み合せたり、各変形例を組み合わせたりしてもよい。
【０１１２】
遊技機は、例示した遊技機１に限らず、例えば、玉が封入されており、遊技者が所有する得点を消費して玉を発射する封入式パチンコ遊技機や、メダルを使用することなくクレジットのみを使用して遊技が進行する完全クレジット式スロットマシンに対応することも可能である。これらの構成の場合、得点やクレジットが遊技価値に対応する。つまり、遊技価値を任意に変更してもよい。
【０１１３】
発行条件として、暗証番号や携帯ＩＤに基づく認証例を示したが、暗証番号及び携帯ＩＤの少なくとも一方に加え又は替えて、遊技者の指紋による生体認証や顔画像に基づく画像認証を発行条件として取込む等、どのような発行条件を設定してもよい。
【０１１４】
また、使用条件として会員暗証番号に基づく認証例を示したが、係る使用条件についても追加又は変更してもよく、携帯ＩＤに基づく認証や、指紋による生体認証、顔画像に基づく画像認証を使用条件として取込む等、どのような使用条件を設定してもよい。尚、顔画像に基づく画像認証については、各貸出機２に周知のＣＭＯＳセンサ等の撮像素子を含むカメラを配設し、各貸出機２において、会員カード１０挿入の際に遊技者の顔画像を自動的に取込む構成にすれば、使用条件を成立させるための、遊技者の操作負担の増加を抑制できる。
【０１１５】
遊技者の発行操作を、遊技機１の返却ボタン１３ｂの操作（つまり貸出機２とは別の装置１に対する操作）により行うものとしたが、貸出機２の液晶表示部２２に発行ボタンを設けて、その貸出機２に対する発行ボタンのタッチ操作により発行操作を行うようにしてもよい。
【０１１６】
記録媒体として例示したカード９，１０はＩＣカードであるが、コイン型の記録媒体やスティック型の記録媒体を採用することも可能である。
ＩＣカードへ記録する内容を変更してもよく、一般ＩＤや会員ＩＤをＩＣカードに記録し、ロック設定に係る暗証番号や会員暗証番号を管理装置６で記録し、貸出機２或いは精算機８において、入力された暗証番号の当否を管理装置６と通信を行うことで判定する構成にしてもよい。また、暗証番号や会員暗証番号をＩＣカードに記録する構成にしてもよい。つまり、ＩＣカードには、発行条件及び使用条件の少なくとも一方を直接的に特定する情報を記録させるようにしてもよいし、発行条件や使用条件を特定可能な情報（カードＩＤ）を記録させるようにしてもよく、後者のカードＩＤは、これを用いて管理装置６で発行条件や使用条件を照合させるための情報であって、発行条件や使用条件を間接的に特定する情報ということができる。
【０１１７】
同様に、入金残高や持玉数の情報もＩＣカードに記録するのではなく、カードＩＤに対応付けて管理装置６側でのみ管理し、貸出機２における、管理装置６との通信によってカードＩＤに対応付けられた入金残高や持玉数を特定する構成にしてもよい。
【０１１８】
２枚のＩＣカードを１枚に合算する構成を例示したが、３枚以上のＩＣカードを１枚に合算可能に構成してもよい。例えば、合算元のＩＣカードを２枚以上読み込み、合算先のＩＣカードに合算元のＩＣカードのデータをそれぞれ加算する構成が考えられる。
【０１１９】
ＩＣカードを合算した際、両方のＩＣカードがロック設定状態であれば（上記パターン（４））、合算先のＩＣカードのロック設定状態を有効にする（合算先の暗証番号又は携帯ＩＤを維持する）構成にしたが、合算元のＩＣカードのロック設定状態を合算先のＩＣカードにて有効化する（合算元の暗証番号又は携帯ＩＤを合算先に引き継ぐ）構成にしてもよい。
【０１２０】
また、ＩＣカードを合算した場合、一方のＩＣカードのみがロック設定状態であれば（パターン（２）（３））、そのロック設定状態を合算先のＩＣカードにて有効にする構成にしたが、係る構成に限定されるものではなく、上記の各パターン（１）〜（４）を想定し、合算元のＩＣカードのロック設定状態の有無に応じて、その合算元の設定状態を合算先に引き継ぎ、或いは合算先のＩＣカードのロック設定状態の有無に応じて、その合算先の設定状態を維持する構成とする等、適宜変更してもよい。
【０１２１】
上記パターン（４）のように、両方のＩＣカードがロック設定状態の場合、無条件に合算可能な構成を例示したが、それぞれの暗証番号が同じで又は携帯ＩＤが同じであることを条件に、合算を許容する構成にしてもよい。これは、同一の遊技者であれば、ロック設定状態を複数のカードで同じ設定にしている確率が高いため、発行条件が違っていれば盗難したＩＣカードを合算しようとしている確率が高くなることに着眼し、不正な合算が行われることを抑制するための工夫である。
【０１２２】
一般カード９と会員カード１０とを合算する場合、一般カード９を合算元にする構成にしたが、一般カード９を合算先にすることも可能である。この場合、会員カード１０に対応付けられた入金残高や持玉の情報を一般カード９に移行することが可能になる。この場合、一般カード９への移行後に、会員カードを挿入口２５から返却することになる。
【０１２３】
また、一般カード９と会員カード１０との合算、及び一般カード９と一般カード９との合算をそれぞれ許容する構成にしたが一方を許容しない構成にすることも可能である。
第２遊技用装置として精算機８を例示したが、例えばカード９，１０に対応付けられている遊技価値（計数結果）の値を対価として消費することで景品交換を行うＰＯＳ７（景品交換装置）を、第２遊技用装置として構成してもよい。この場合、ＰＯＳ７は、カード９，１０用のＲＷ７ａ（図１参照）を備えており、特別処理実行手段としてカード９，１０から特定可能な遊技価値の大きさを景品交換により消費する特別処理を実行する。
【０１２４】
精算機８で精算処理を実行する際、その精算に係る会員カード１０について、ロック設定に係る暗証番号と会員暗証番号とが共通であれば、当該暗証番号の入力により精算処理を実行する構成にしたが、両番号が共通であっても、当該暗証番号を２回入力しないと使用条件に加えて発行条件が成立したと判定しない（精算処理を実行しない）構成にしてもよい。
【０１２５】
精算機８において、管理装置６とオフライン状態にある場合、ロック設定状態にあるか否かに関わらず、会員カード１０内に記録している会員暗証番号又は暗証番号若しくは携帯ＩＤについて、その使用条件又は使用条件が成立したことを条件に、精算処理を実行する構成にしたが、係る構成に限定されるものではない。例えば、精算機８において、管理装置６とオフライン状態にある場合に精算処理を実行しない構成や、ロック設定状態にある場合にのみ会員暗証番号を入力することで精算処理を実行する構成としてもよい。
【０１２６】
精算機８において、ロック設定状態でなければ会員暗証番号の入力に基づいて精算処理を実行する一方、ロック設定状態であれば、暗証番号及び会員暗証番号の入力に基づいて精算処理を実行する構成にしたが、かかる構成に限定されるものではない。例えば、ロック設定状態でなければ会員暗証番号の入力に基づいて精算処理を実行する一方、ロック設定状態で会員暗証番号を入力することのなくロック設定に基づく暗証番号の入力に基づいて精算処理を実行する構成にしてもよい。つまり、記録媒体に対して発行条件を設定していなければ、使用条件が成立した場合に特別処理を実行する一方、発行条件を設定していれば、使用条件が成立することなく当該発行条件が成立した場合に特別処理を実行する構成にしてもよい。
【０１２７】
貸出機２において、会員暗証番号を入力するまで貯玉の使用を禁止する構成にしたが、これに限らず例えば会員暗証番号を入力するまで入金残高の使用を禁止する等して、当該貸出機２の機能の一部又は全部を制限すれば会員カード１０の使用を制限することにあたる。
【０１２８】
上記した各数値は例示であり、どのような数値を採用してもよいことは勿論である。また、上記した記載中における「記録」及び「登録」について、例えば会員カード１０の特別記録領域への「記録」を「記憶」（或いは登録）と称する等、それらの意味を同じくするものとして把握することができる。
【０１２９】
尚、以上に例示した実施形態からは以下の特徴を抽出することも可能である。
遊技機に隣接して設けられた第１遊技用装置と、遊技機と離間して設けられた第２遊技用装置とを設置した遊技場に対応した遊技場用システムにおいて、
前記第１遊技用装置は、遊技者が携帯可能であり、当該遊技者が所有する遊技価値の大きさを特定可能な情報を記録した記録媒体を受け付ける第１受付手段と、前記第１受付手段が前記記録媒体を受け付けた場合、予め定められた使用条件が成立したときに当該記録媒体が記録する遊技価値の大きさを遊技機での遊技への使用を許可する許可手段と、遊技者の設定操作に応じて、前記記録媒体に対して発行条件を設定する発行条件設定手段と、遊技者の発行操作に応じて前記第１受付手段が受け付けている前記記録媒体を発行するものであり、前記発行条件が設定されている場合には当該発行条件が成立したことを条件に前記記録媒体を発行する第１発行手段と、を備え、
前記第２遊技用装置は、前記記録媒体を受け付ける第２受付手段と、前記第２受付手段が前記記録媒体を受け付けた場合に、当該記録媒体に対して前記発行条件設定手段が前記発行条件を設定していなければ、前記使用条件が成立したことを条件に、当該記録媒体から特定可能な遊技価値の大きさの消費又は精算である特別処理を実行する一方、前記発行条件設定手段が前記発行条件を設定していれば、前記使用条件に加えて当該発行条件が成立したことを条件に、前記特別処理を実行する特別処理実行手段と、前記特別処理実行手段が前記特別処理を実行した後に前記記録媒体を遊技者に発行する第２発行手段と、を備えたことを特徴とする。
【０１３０】
前記第２受付手段が受け付けた前記記録媒体に対して、前記発行条件設定手段が前記発行条件を設定している場合に、当該発行条件と前記使用条件とが同一であるか否かを判定する同一判定手段を備え、前記特別処理実行手段は、前記同一判定手段が前記発行条件と前記使用条件とが同一であると判定した場合、前記発行条件又は前記使用条件が一度成立すれば、前記使用条件に加えて前記発行条件が成立したものとして前記特別処理を実行することを特徴とする。
【０１３１】
前記記録媒体には、前記使用条件を記録する特別記録領域が設けられており、前記第２遊技装置とは個別に設けられ、前記記録媒体を識別するための識別情報に対応付けて前記記録媒体の使用条件を管理する管理装置を備え、前記第１遊技用装置は、前記発行条件設定手段が前記記録媒体に対して前記発行条件を設定した場合に、当該記録媒体の前記特別記録領域に記録している情報を前記使用条件から前記発行条件に書き換える第１書換手段と、遊技者の解除操作に応じて、前記発行条件設定手段が設定した前記発行条件を解除する解除手段と、前記解除操作に応じて、前記管理装置が管理する前記記録媒体の前記使用条件を特定する使用条件特定手段と、前記使用条件特定手段の特定結果に応じて、前記記録媒体の前記特別記録領域に記録している情報を前記発行条件から前記使用条件に書き換える第２書換手段と、を備え、前記特別処理実行手段は、前記第２遊技用装置が正常に前記管理装置と通信可能な場合に前記特別処理を実行するものであり、前記第２遊技用装置は、前記管理装置と正常に通信できない状況において、前記記録媒体の前記特別記録領域に記録している前記発行条件又は前記使用条件が成立したことを条件に、前記特別処理を実行する異常時処理実行手段を備えたことを特徴とする。
【０１３２】
遊技機に隣接して設けられた第１遊技用装置と、遊技機と離間して設けられた第２遊技用装置とを設置した遊技場に対応した遊技場用システムにおいて、
前記第１遊技用装置は、遊技者が携帯可能であり、当該遊技者が所有する遊技価値の大きさを特定可能な情報を記録した記録媒体を受け付ける第１受付手段と、前記第１受付手段が前記記録媒体を受け付けた場合、予め定められた使用条件が成立した場合に当該記録媒体が記録する遊技価値の大きさを遊技機での遊技への使用を許可する許可手段と、遊技者の設定操作に応じて、前記記録媒体に対して発行条件を設定する発行条件設定手段と、遊技者の発行操作に応じて前記第１受付手段が受け付けている前記記録媒体を発行するものであり、前記発行条件が設定されている場合には当該発行条件が成立したことを条件に前記記録媒体を発行する第１発行手段と、を備え、
前記第２遊技用装置は、前記記録媒体を受け付ける第２受付手段と、前記第２受付手段が前記記録媒体を受け付けた場合に、当該記録媒体に対して前記発行条件設定手段が前記発行条件を設定していなければ、前記使用条件が成立した場合に、当該記録媒体から特定可能な遊技価値の大きさの消費又は精算である特別処理を実行する一方、前記発行条件設定手段が前記発行条件を設定していれば、前記使用条件が成立することなく当該発行条件が成立した場合に、前記特別処理を実行する特別処理実行手段と、前記特別処理実行手段が前記特別処理を実行した後に、前記記録媒体を遊技者に発行する第２発行手段と、を備えたことを特徴とする。
【０１３３】
前記記録媒体は、会員として登録された遊技者が所持し、会員登録の際に前記使用条件を設定した会員記録媒体であることを特徴とする。
【符号の説明】
【０１３４】
図面中、１は遊技機、２は貸出機（遊技用装置（第１遊技用装置））、２Ａは制御部（受付手段（第１受付手段）、発行条件設定手段、記録媒体処理手段、有効化手段、許可手段、発行手段（第１発行手段）、第１書換手段、解除手段、使用条件特定手段、第２書換手段）、６は管理装置、８は精算機（第２遊技用装置）、８Ａは制御部（第２受付手段、特別処理実行手段、第２発行手段、同一判定手段、異常時処理実行手段）である。
【図１】
2019130041.tif 000003
【図２】
2019130041.tif 000004
【図３】
2019130041.tif 000005
【図４】
2019130041.tif 000006
【図５】
2019130041.tif 000007
【図６】
2019130041.tif 000008
【図７】
2019130041.tif 000009
【図８】
2019130041.tif 000010
【図９】
2019130041.tif 000011
【図１０】
2019130041.tif 000012
【図１１】
2019130041.tif 000013
【図１２】
2019130041.tif 000014